【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】
送信装置と受信装置とを有する通信装置であって、
上記送信装置は、
複数チャネルの情報を独立に符号化する符号化手段と、
上記符号化した情報をそれぞれ所定の変調方式に基づいて変調して信号点配置を行う信号点配置手段と、
上記複数の信号点配置した信号を時間周期的に多重化する信号多重化手段と、
上記多重化した信号を逆直交変換する逆直交変換手段と、
上記直交変換した情報を送出する送信手段と、
を有し、
上記受信装置は、
上記送出された信号を受信する受信手段と、
上記受信した直交変換処理後の多重化信号のうち、希望するチャネルの信号のみ選択出力する信号選択出力手段と、
上記選択出力された信号を直交変換する直交変換手段と、
上記直交変換した情報を復号する復号手段と
を有する
通信装置。
【請求項２】
上記送信装置における上記信号多重化手段は、上記複数の信号点配置した信号を所定のサブキャリアでチャネルごと周波数をずらして多重化する
請求項１記載の通信装置。
【請求項３】
上記受信装置における上記信号選択出力手段には、信号遅延手段と、加算手段と、減算手段と、周波数オフセット補正手段とからなるチャネル分離手段が２分木方式で順次ｎ段設けられ、各段のチャネル分離手段における信号遅延手段は（１／２n-1 ）の変調時間分遅延する
請求項２記載の通信装置。
【請求項４】
上記受信装置における上記信号選択出力手段には、信号遅延手段と、選択的に加算または減算を行う加減算手段と、周波数オフセット補正手段とからなるチャネル分離手段がｎ段設けられ、各段のチャネル分離手段における信号遅延手段は、（１／２n-1 ）の変調時間分遅延し、
上記信号選択出力手段は分離した各チャネルのうちの希望する信号を選択出力する選択手段を有する
請求項２記載の通信装置。
【請求項５】
上記受信装置における上記信号選択出力手段は、
入力された複数チャネルのシンボルを反復して生成する複数チャネル反復シンボル生成手段と、
上記生成された複数チャネル反復シンボルから奇数チャネルのシンボルと偶数チャネルのシンボルに分離するチャネルシンボル分離手段と、
上記分離された偶数チャネルのシンボルについてサブキャリアの周波数オフセットを除去する第１のオフセット除去手段と、
上記選択された奇数チャネルシンボルを順次、半分のシンボルに分離して各チャネルのシンボルに分離し、オフセットが生じたチャネルについてオフセット除去を行う奇数チャネル分離手段と、
上記選択された偶数チャネルシンボルを順次、半分のシンボルに分離して各チャネルのシンボルに分離し、オフセットが生じたチャネルについてオフセット除去を行う偶数チャネル分離手段と、
上記奇数チャネル分離手段で分離された各奇数チャネルのシンボルと、上記偶数チャネル分離手段で分離された各偶数チャネルのシンボルとを入力して各チャネルごとのシンボルを選択出力する選択手段と
を有する、請求項２記載の通信装置。
【請求項６】
上記複数チャネル反復シンボル生成手段は、入力された複数チャネルのシンボルを１変調時間分遅延する第１の遅延手段と、入力された複数チャネルのシンボルと上記第１の遅延手段で遅延したシンボルを選択出力する第１のシンボル選択手段とからなり、
上記チャネルシンボル分離手段は、上記生成された複数チャネル反復シンボルを１／２変調時間分遅延する第２の遅延手段と、上記第２の遅延手段で遅延したシンボルと上記生成された複数チャネル反復シンボルとを加算して奇数チャネルのシンボルを分離する加算手段と、上記第２の遅延手段で遅延したシンボルから上記生成された複数チャネル反復シンボルとを減じて偶数チャネルのシンボルを分離する減算手段とを有し、
上記第１のオフセット除去手段は上記減算手段から出力された偶数チャネルのシンボルについてオフセット補正データを乗ずる第１の乗算手段を有し、
上記奇数チャネル分離手段は、上記奇数チャネルのシンボルを１／２m 変調時間分（ただし、ｍは２以上の段数の位置を示す数である）遅延する第３の遅延手段と、上記第３の遅延手段で遅延したシンボルと上記奇数チャネルのシンボルをとを加算して第１の奇数チャネルのシンボルを分離する加算手段と、上記第３の遅延手段で遅延したシンボルから上記奇数チャネルのシンボルを減じて第２の奇数チャネルのシンボルを分離する減算手段と、該減算手段で算出した第２の奇数チャネルに生じたオフセットを生じたチャネルのシンボルについてオフセット除去を行う第２の乗算手段とを有し、
上記偶数チャネル分離手段は、上記偶数チャネルのシンボルを１／２m 変調時間分（ただし、ｍは２以上の段数の位置を示す数である）遅延する第４の遅延手段と、上記第４の遅延手段で遅延したシンボルと上記偶数チャネルのシンボルをとを加算して第１の偶数チャネルのシンボルを分離する加算手段と、上記第４の遅延手段で遅延したシンボルから上記偶数チャネルのシンボルを減じて第２の偶数チャネルのシンボルを分離する減算手段と、該減算手段で算出した第２の偶数チャネルに生じたオフセットを生じたチャネルのシンボルについてオフセット除去を行う第３の乗算手段とを有する
請求項５記載の通信装置。
【請求項７】
上記受信装置における上記信号選択出力手段は、
入力された複数チャネルのシンボルを反復して生成する複数チャネル反復シンボル生成手段と、
上記生成された複数チャネル反復シンボルから、順次、チャネルを交互に分離していき、サブキャリアのオフセットが生じたチャネルについてそのオフセット除去を行い、各チャネルに分離する複数段のチャネル分離手段と、
上記各チャネルに分離されたシンボルとを入力して各チャネルごとのシンボルを選択出力する選択手段と
を有する、請求項２記載の通信装置。
【請求項８】
上記複数チャネル反復シンボル生成手段は、入力された複数チャネルのシンボルを１変調時間分遅延する第１の遅延手段と、入力された複数チャネルのシンボルと上記第１の遅延手段で遅延したシンボルを選択出力する第１のシンボル選択手段とからなり、
上記複数段のチャネルシンボル分離手段の各段は、
上記選択出力されたチャネルのシンボルを１／２n+1 変調時間分（ただし、ｎは１以上の段数の位置を示す数である）遅延する遅延手段と、上記遅延手段で遅延したシンボルと上記チャネルのシンボルとを加算または減算する加減算手段と、減算して得られたチャネルに生じたオフセットを生じたチャネルのシンボルについてオフセット除去を行う乗算手段とを有する
請求項７記載の通信装置。
【請求項９】
上記受信装置における上記信号選択出力手段は、
入力された複数チャネルのシンボルを、順次、交互に分離していき、サブキャリアのオフセットが生じたチャネルについてそのオフセット除去を行い、各チャネルに分離する複数段のチャネル分離手段と、
上記各チャネルに分離されたシンボルとを並び換えるシンボル並び換え手段と  を有する、請求項３記載の通信装置。
【請求項１０】
上記複数段のチャネルシンボル分離手段の各段は、
上記選択出力されたチャネルのシンボルを１／２n+1 変調時間分（ただし、ｎは１以上の段数の位置を示す数である）遅延する遅延手段と、上記遅延手段で遅延したシンボルと上記チャネルのシンボルとを加算または減算する加減算手段と、減算して得られたチャネルに生じたオフセットを生じたチャネルのシンボルについてオフセット除去を行う乗算手段とを有する
請求項９記載の通信装置。
【請求項１１】
上記受信装置における上記信号選択出力手段は、
入力された複数チャネルのシンボルに含まれるサブキャリアのオフセットに相当する分を除去するオフセット除去手段と、
上記オフセット除去された複数チャネルのシンボルを、順次、交互に分離して各チャネルに分離する複数段のチャネル分離手段と、
上記各チャネルに分離されたシンボルとを並び換えるシンボル並び換え手段と  を有する、請求項２記載の通信装置。
【請求項１２】
上記オフセット除去手段は、オフセット除去成分を上記入力された複数チャネルのシンボルに乗ずる乗算手段を有し、
上記複数段のチャネルシンボル分離手段の各段は、
上記選択出力されたチャネルのシンボルを１／２n+1 変調時間分（ただし、ｎは１以上の段数の位置を示す数である）遅延する遅延手段と、上記遅延手段で遅延したシンボルと上記チャネルのシンボルとを加算または減算する加減算手段と、減算して得られたチャネルに生じたオフセットを生じたチャネルのシンボルについてオフセット除去を行う乗算手段とを有する
請求項１１記載の通信装置。
【請求項１３】
送信装置と受信装置とを有する通信装置であって、
上記送信装置は、
複数チャネルの情報を独立に符号化する符号化手段と、
上記符号化した情報をそれぞれ所定の変調方式に基づいて変調して信号点配置を行う信号点配置手段と、
パイロットチャネルについて信号点配置するパイロットチャネル用信号点配置手段と、
上記パイロットチャネルの信号点配置した信号を上記複数の信号点配置した信号とともに時間周期的に多重化する多重化手段と、
上記多重化した信号を逆直交変換する逆直交変換手段と、
上記直交変換した情報を送出する送信手段と
を有し、
上記受信装置は、
上記送出された信号を受信する受信手段と、
上記受信した直交変換処理後の多重化信号のうち、複数チャネルのうち希望するチャネルの信号のみ選択出力するとともに、上記受信した直交変換処理後の多重化信号のうち、パイロットチャネルの信号を選択出力する選択手段と、
上記選択出力されたチャネル信号を直交変換するとともに、上記選択出力されたパイロットチャネルチャネル信号を直交変換する直交変換手段と、
上記直交変換したチャネル信号と上記パイロットチャネルの信号を用いてチャネルエコライザ処理する信号等化手段と、
上記チャネルエコライズした信号を復号する復号手段と
を有する
通信装置。
【請求項１４】
マルチキャリア変調による多重通信に用いる受信機であって、
複数チャネルのサブキャリアが周期的に配置されている場合、上記受信機に、遅延手段と、加算手段と、周波数オフセット補正手段とで構成されるチャネルシンボル選択手段を複数段、２分木的に設け、
ｎ段のチャネルシンボル選択手段における遅延手段において（１／２n-1 ）変調時間だけ信号を遅延する
受信機。
【請求項１５】
マルチキャリア変調による多重通信に用いる受信機であって、
複数チャネルのサブキャリアが周期的に配置されている場合、上記受信機に、信号遅延手段と、選択的に加算または減算を行う加減算手段と、周波数オフセット補正手段とからなるチャネルシンボル選択手段をｎ段設け、
ｎ段のチャネルシンボル選択手段における信号遅延手段は（１／２n-1 ）の変調時間分遅延する
受信機。
【請求項１６】
複数チャネルの情報を独立に符号化し、
上記符号化した情報をそれぞれ所定の変調方式に基づいて変調して信号点配置を行い、
上記複数の信号点配置した信号を時間周期的に多重化し、
上記多重化した信号を逆直交変換し、
上記直交変換した情報を送出する
符号化送信工程と、
上記送出された信号を受信し、
上記受信した直交変換処理後の多重化信号のうち、希望するチャネルの信号のみ選択出力し、
上記選択出力された信号を直交変換し、
上記直交変換した情報を復号する
受信復号工程と
を有する通信方法。
【請求項１７】
複数チャネルの情報を独立に符号化し、
上記符号化した情報をそれぞれ所定の変調方式に基づいて変調して信号点配置を行い、
パイロットチャネルについて信号点配置し、
上記パイロットチャネルの信号点配置した信号を上記複数の信号点配置した信号とともに時間周期的に多重化し、
上記多重化した信号を逆直交変換し、
上記直交変換した情報を送出する
符号化・送信工程と、
上記送出された信号を受信し、
上記受信した直交変換処理後の多重化信号のうち、複数チャネルのうち希望するチャネルの信号のみ選択出力するとともに、上記受信した直交変換処理後の多重化信号のうち、パイロットチャネルの信号を選択出力し、
上記選択出力されたチャネル信号を直交変換するとともに、上記選択出力されたパイロットチャネルチャネル信号を直交変換し、
上記直交変換したチャネル信号と上記パイロットチャネルの信号を用いてチャネルエコライザ処理をし、
上記チャネルエコライズした信号を復号する
受信・復号工程と
を有する通信方法。
【請求項１８】
複数のサブキャリアが周期的に配置されているマルチキャリア変調された複数チャネルのシンボルを受信して復号する受信機であって、
受信した直交変換後の多重化信号のうち希望するチャネルのシンボルのみ選択出力する信号選択出力手段と、
上記選択出力信号を直交変換する直交変換手段と、
上記直交変換した信号を復号する復号手段と
を有する受信機。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００２４
【補正方法】変更
【補正の内容】
【００２４】
本発明の第６の観点によれば、複数チャネルの情報を独立に符号化し、上記符号化した情報をそれぞれ所定の変調方式に基づいて変調して信号点配置を行い、パイロットチャネルについて信号点配置し、上記パイロットチャネルの信号点配置した信号を上記複数の信号点配置した信号とともに時間周期的に多重化し、上記多重化した信号を逆直交変換し、上記直交変換した情報を送出する
符号化・送信工程と、
上記送出された信号を受信し、上記受信した直交変換処理後の多重化信号のうち、複数チャネルのうち希望するチャネルの信号のみ選択出力するとともに、上記受信した直交変換処理後の多重化信号のうち、パイロットチャネルの信号を選択出力し、上記選択出力されたチャネル信号を直交変換するとともに、上記選択出力されたパイロットチャネルチャネル信号を直交変換し、上記直交変換したチャネル信号と上記パイロットチャネルの信号を用いてチャネルエコライザ処理をし、上記チャネルエコライズした信号を復号する受信・復号工程と
を有する通信方法が提供される。
本発明の第７の観点によれば、複数のサブキャリアが周期的に配置されているマルチキャリア変調された複数チャネルのシンボルを受信して復号する受信機であって、
受信した直交変換後の多重化信号のうち希望するチャネルのシンボルのみ選択出力する信号選択出力手段と、
上記選択出力信号を直交変換する直交変換手段と、
上記直交変換した信号を復号する復号手段と
を有する受信機が提供される。